(57)【要約】  無線プロトコル層においてデータを再処理するための方法が説明される。前記方法は、第１の無線アクセス技術を用いて通信することを含む。第１の無線アクセス技術プロトコル層の処理済みデータバッファにおけるデータが再処理される。前記再処理されたデータは、未処理データバッファへ送られる。前記第１の無線アクセス技術から第２の無線アクセス技術へのハンドオーバのためのトリガが検出され得る。無線接続解放のためのトリガもまた検出され得る。
2013546254.tif 000002
【特許請求の範囲】
【請求項１】
無線プロトコル層においてデータを再処理するための方法であって、
第１の無線アクセス技術を用いて通信することと、
第１の無線アクセス技術プロトコル層の処理済みデータバッファにおけるデータを再処理することと、
未処理データバッファに、前記再処理されたデータを送ることと、
を備える方法。
【請求項２】
第２の無線アクセス技術を用いて通信することに遷移することをさらに備え、ここにおいて、前記再処理されたデータは、前記第２の無線アクセス技術での送信のために送られる、請求項１に記載の方法。
【請求項３】
前記第１の無線アクセス技術から第２の無線アクセス技術へのハンドオーバのためのトリガを検出することをさらに備え、ここにおいて、前記未処理データバッファは、第２の無線アクセス技術プロトコル層の一部である、請求項１に記載の方法。
【請求項４】
前記第２の無線アクセス技術プロトコル層の前記未処理データバッファに、前記第１の無線アクセス技術プロトコル層の未処理データバッファにおけるデータを送ることをさらに備える、請求項３に記載の方法。
【請求項５】
無線接続解放を検出することをさらに備え、ここにおいて、前記未処理データバッファは、前記第１の無線アクセス技術プロトコル層の一部である、請求項１に記載の方法。
【請求項６】
無線接続解放を検出することと；
前記無線接続解放の後に、第２の無線アクセス技術への接続を確立することと、ここにおいて、前記未処理データバッファは、第２の無線アクセス技術プロトコル層の一部である；
をさらに備える、請求項１に記載の方法。
【請求項７】
前記処理済みデータバッファにおけるデータを再処理することが、
ＩＰパケットの圧縮ヘッダを解凍すること、
機密保護のために暗号化されたパケットを解読すること、
プロトコル層特有のヘッダを取り除くこと、
セグメンテーションを元通りにすること、および
連結を元通りにすること、
のうち少なくとも１つを備える、請求項１に記載の方法。
【請求項８】
前記処理済みデータバッファにおける前記データが、パケットデータコンバージェンスプロトコル層を通っている、請求項１に記載の方法。
【請求項９】
前記再処理されたデータは、データサービス層によって、未処理データバッファに提供されたデータと同じ状態である、請求項１に記載の方法。
【請求項１０】
再処理される前記データを制限することをさらに備える、請求項１に記載の方法。
【請求項１１】
再処理される前記データを制限することが、
ドロップパケットしきい値よりも長く前記処理済みデータバッファにある、前記処理済みデータバッファにおける全てのパケットをドロップすることと、
前記未処理データバッファへ送られる前記データのそれぞれのパケットに関して、前記処理済みデータバッファにおいて経過した時間を持ち越すことと、
を備える、請求項１０に記載の方法。
【請求項１２】
前記方法が、無線通信デバイスによって実行される、請求項１に記載の方法。
【請求項１３】
無線プロトコル層において、データを再処理するために構成され、
プロセッサと、
前記プロセッサと電子通信するメモリと、
前記メモリに記憶され、前記プロセッサによって、
第１の無線アクセス技術を用いて通信することと、
第１の無線アクセス技術プロトコル層の処理済みデータバッファにおけるデータを再処理することと、
未処理データバッファに、前記再処理されたデータを送ることと、
を実行可能である命令と、
を備えた無線デバイス。
【請求項１４】
前記命令が、第２の無線アクセス技術を用いて通信することに遷移することがさらに実行可能であり、および前記再処理されたデータは、前記第２の無線アクセス技術での送信のために送られる、請求項１３に記載の無線デバイス。
【請求項１５】
前記命令が、前記第１の無線アクセス技術から第２の無線アクセス技術へのハンドオーバのためのトリガを検出することをさらに実行可能であり、および、前記未処理データバッファは、第２の無線アクセス技術プロトコル層の一部である、請求項１３に記載の無線デバイス。
【請求項１６】
前記命令が、前記第２の無線アクセス技術プロトコル層の前記未処理データバッファに、前記第１の無線アクセス技術プロトコル層の未処理データバッファにおけるデータを送ることをさらに実行可能である、請求項１５に記載の無線デバイス。
【請求項１７】
前記命令が、無線接続解放を検出することをさらに実行可能であり、ここにおいて、前記未処理データバッファは、前記第１の無線アクセス技術プロトコル層の一部である、請求項１３に記載の無線デバイス。
【請求項１８】
前記命令が、
無線接続解放を検出することと；
前記無線接続解放の後に、第２の無線アクセス技術への接続を確立することと、ここにおいて、前記未処理データバッファは、第２の無線アクセス技術プロトコル層の一部である；
をさらに実行可能である、請求項１３に記載の無線デバイス。
【請求項１９】
前記処理済みデータバッファにおけるデータを再処理することを実行可能である前記命令が、
ＩＰパケットの圧縮ヘッダを解凍することを実行可能である命令と、
機密保護のために暗号化されたパケットを解読することを実行可能である命令と、
プロトコル層特有のヘッダを取り除くことを実行可能である命令と、
セグメンテーションを元通りにすることを実行可能である命令と、
連結を元通りにすることを実行可能である命令と
のうちの少なくとも１つを備える、請求項１３に記載の無線デバイス。
【請求項２０】
前記処理済みデータバッファにおける前記データが、パケットデータコンバージェンスプロトコル層を通っている、請求項１３に記載の無線デバイス。
【請求項２１】
前記再処理されたデータが、データサービス層によって未処理データバッファに提供されたデータと同じ状態である、請求項１３に記載の無線デバイス。
【請求項２２】
前記命令が、前記再処理されるデータを制限することをさらに実行可能である、請求項１３に記載の無線デバイス。
【請求項２３】
前記再処理されるデータを制限することを実行可能である前記命令が、
ドロップパケットしきい値よりも長く前記処理済みデータバッファにある、前記処理済みデータバッファにおける全てのパケットをドロップすることと、
前記未処理データバッファへ送られる前記データのそれぞれのパケットに関して、前記処理済みデータバッファにおいて経過した時間を持ち越すことと、
を実行可能である命令を備える、請求項２２に記載の無線デバイス。
【請求項２４】
前記無線デバイスが、無線通信デバイスである、請求項１３に記載の無線デバイス。
【請求項２５】
無線プロトコル層において、データを再処理するために構成され、
第１の無線アクセス技術を用いて通信するための手段と、
第１の無線アクセス技術プロトコル層の処理済みデータバッファにおけるデータを再処理するための手段と、
前記再処理されたデータを未処理データバッファに送るための手段と、
を備える無線デバイス。
【請求項２６】
前記第１の無線アクセス技術から第２の無線アクセス技術へのハンドオーバのためのトリガを検出するための手段をさらに備え、ここにおいて、前記未処理データバッファは、第２の無線アクセス技術プロトコル層の一部である、請求項２５に記載の無線デバイス。
【請求項２７】
無線接続解放を検出するための手段をさらに備え、ここにおいて、前記未処理データバッファは、前記第１の無線アクセス技術プロトコル層の一部である、請求項２５に記載の無線デバイス。
【請求項２８】
無線接続解放を検出するための手段と；
前記無線接続解放の後に、第２の無線アクセス技術への接続を確立するための手段と、ここにおいて、前記未処理データバッファは、第２の無線アクセス技術プロトコル層の一部である；
をさらに備える、請求項２５に記載の無線デバイス。
【発明の詳細な説明】
【関連出願の相互参照】
【０００１】
本願は、「無線アクセス技術間（ＩＲＡＴ）遷移の間の無線プロトコルスタック間でのデータ送信のためのメカニズム（Mechanism for Data-Forwarding Between Radio Protocol Stacks During Inter-Radio-Access-Technology (ＩＲＡＴ) Transitions）」に関する２０１０年１０月２７日に出願された米国仮特許出願番号第６１/４０７,３０５号に関し、その優先権を主張する。
【技術分野】
【０００２】
本開示は、一般的に無線通信システムに関する。より具体的には、本開示は、無線プロトコル層におけるデータ再処理のための方法およびシステムに関する。
【背景技術】
【０００３】
無線通信システムは、音声、ビデオ、データなどのような様々なタイプの通信コンテンツを提供するように広く展開されている。これらのシステムは、１つ以上の基地局とのマルチプルのモバイルデバイスの同時通信をサポートすることができる、多元接続システムであり得る。
【０００４】
無線通信システムがより広く展開されるようになるにつれて、利用可能な無線アクセス技術（ＲＡＴｓ）の数もまた増加した。モバイルデバイスの移動性および実現可能性を高めるため、モバイルデバイスは、複数の無線アクセス技術（ＲＡＴ）を用いて通信することが可能であり得る。これらの無線アクセス技術（ＲＡＴｓ）に関してデータレートが増加するにつれて、相当量のデータが比較的短時間のうちに処理され得る。もしこのデータが失われた場合、データレートが減少するためユーザーエクスペリエンスは悪くなる。データレートが減少する可能性を減らすために、複数の無線アクセス技術（ＲＡＴ）を用いて通信するための方法を改良することによって、複数の利益が実現され得る。
【発明の概要】
【０００５】
無線プロトコル層においてデータを再処理するための方法が開示される。この方法は、第１の無線アクセス技術を用いて通信することを含む。第１の無線アクセス技術プロトコル層の処理済みデータバッファにおけるデータが、再処理される。再処理されたデータは、未処理データバッファに送られる。
【０００６】
この方法は、第２の無線アクセス技術を用いて通信することに遷移することを含み得る。再処理されたデータは、第２の無線アクセス技術における送信のために送られ得る。第１の無線アクセス技術から第２の無線アクセス技術へのハンドオーバのためのトリガが検出され得る。未処理データバッファは、第２の無線アクセス技術プロトコル層の一部であり得る。第１の無線アクセス技術プロトコル層の未処理データバッファにおけるデータは、第２の無線アクセス技術プロトコル層の未処理データバッファに送られ得る。無線接続解放が検出され得る。未処理データバッファは、第１の無線アクセス技術プロトコル層の一部であり得る。第２の無線アクセス技術への接続は、無線接続解放の後に確立され得る。
【０００７】
処理済みデータバッファにおけるデータを再処理することは、ＩＰパケットの圧縮ヘッダを解凍すること、機密保護のために暗号化されたパケットを解読すること、プロトコル層特有のヘッダを取り除くこと、セグメンテーションを元通りにする（undo）こと、および連結（concatenation）を元通りにすることのうち、少なくとも１つを含み得る。処理済みデータバッファにおけるデータは、パケットデータコンバージェンスプロトコル層を通過していることができる。再処理されたデータは、データサービス層によって、未処理データバッファに提供されたデータと同じ状況であり得る。
【０００８】
再処理されるデータは、制限され得る。再処理されるデータを制限することは、ドロップパケットしきい値よりも長く処理済みデータバッファにある処理済みデータバッファにおける全てのパケットをドロップすることを含み得る。再処理されるデータを制限することは、未処理データバッファへ送られるデータのそれぞれのパケットに関して処理済みデータバッファにおいて経過した時間を持ち越す（carry over)ことともまた含み得る。この方法は、無線通信デバイスによって実行され得る。
【０００９】
無線プロトコル層においてデータを再処理するために構成される無線デバイスもまた、説明される。無線デバイスは、プロセッサ、プロセッサと電子通信するメモリ、およびメモリに記憶された命令を含む。この命令は、第１の無線アクセス技術を用いて通信することを、プロセッサによって実行可能である。この命令はまた、第１の無線アクセス技術プロトコル層の処理済みデータバッファにおけるデータを再処理することも、プロセッサによって実行可能である。この命令はさらに、未処理データバッファへ再処理されたデータを送ることも、プロセッサによって実行可能である。
【００１０】
無線プロトコル層においてデータを再処理するために構成される無線デバイスが、説明される。無線デバイスは、第１の無線アクセス技術を用いて通信するための手段を含む。無線デバイスはまた、第１の無線アクセス技術プロトコル層の処理済みデータバッファにおけるデータを再処理するための手段も含む。無線デバイスはさらに、未処理データバッファに再処理されたデータを送るための手段も含む。
【００１１】
無線プロトコル層においてデータを再処理するためのコンピュータプログラムプロダクトもまた、説明される。コンピュータプログラムプロダクトは、命令を有する非一時的コンピュータ読み取り可能媒体を含む。命令は、無線デバイスに第１の無線アクセス技術を用いて通信させるためのコードを含む。命令はまた、無線デバイスに第１の無線アクセス技術プロトコル層の処理済みデータバッファにおけるデータを再処理させるためのコードも含む。命令はさらに、無線デバイスに未処理データバッファへ再処理されたデータを送らせるコードも含む。
【図面の簡単な説明】
【００１２】
【図１】図１は、マルチプルの無線デバイスを用いる無線通信システムを示す。
【図２】図２は、ユーザ装置（ＵＥ）がデータサービスおよび／または音声サービスのために利用することができるコアネットワークおよびユーザ装置（ＵＥ）間の様々なタイプの接続性を例示するブロック図である。
【図３】図３は、本システムおよび方法において使用するための無線トラフィックスタックを例示するブロック図である。
【図４】図４は、第１の無線アクセス技術（ＲＡＴ）から第２の無線アクセス技術（ＲＡＴ）へのハンドオーバがトリガされた後で、第１の無線アクセス技術（ＲＡＴ）プロトコル層と第２の無線アクセス技術（ＲＡＴ）プロトコル層との間で、データを送るための方法を例示する流れ図である。
【図５】図５は、本システムおよび方法において使用するための別の無線トラフィックスタックを例示するブロック図である。
【図６】図６は、無線接続解放の後で処理済みデータバッファにおけるデータを再処理するための方法を例示する流れ図である。
【図７】図７は、どのデータが再処理されるかを制限するための方法を例示する流れ図である。
【図８】図８は、無線通信デバイス内に含まれ得る特定のコンポーネントを例示する。
【詳細な説明】
【００１３】
図１は、マルチプルの無線デバイスを用いる無線通信システム１００を示す。無線通信システム１００は、音声、データなどのようなさまざまなタイプの通信コンテンツを提供するために、幅広く展開されている。無線デバイスは、基地局１０２ａ−ｂまたは無線通信デバイス１０４であり得る。
【００１４】
基地局１０２は、１つ以上の無線通信デバイス１０４と通信する局である。基地局１０２はまた、アクセスポイント、ブロードキャスト送信機、ＮｏｄｅＢ、発展型ＮｏｄｅＢなどとも呼ばれ、それらの機能のうちのいくつかまたはすべてを含み得る。用語「基地局（base station）」がここで使用されることになる。各基地局１０２は、特定の地理領域のための通信カバレッジを提供する。基地局１０２は、１つ以上の無線通信デバイス１０４に通信カバレッジを提供し得る。用語「セル（cell）」は、用語が使用される文脈によって、基地局１０２および／またはそのサービスエリアを指すことができる。
【００１５】
無線システム（例えば、多元接続システム）における通信は、無線リンクによる送信によって達成され得る。このような通信リンクは、単一入力/単一出力（ＳＩＳＯ）、多入力/単一出力（ＭＩＳＯ）、あるいは多入力/多出力（ＭＩＭＯ）システムによって確立され得る。ＭＩＭＯシステムは、データ送信のためにマルチプルの（ＮＴ）送信アンテナおよびマルチプルの（ＮＲ）受信アンテナをそれぞれ装備した（１つ又は複数の）送信機および（１つ又は複数の）受信機を含む。ＳＩＳＯおよびＭＩＳＯシステムは、ＭＩＭＯシステムの特定の事例である。ＭＩＭＯシステムは、マルチプルの送信アンテナおよび受信アンテナによって作り出される追加的な次元が利用される場合に、改善された性能（例えば、より高いスループット、より大きな容量、あるいは改善された信頼性）を提供することができる。
【００１６】
無線通信システム１００は、ＭＩＭＯを利用し得る。ＭＩＭＯシステムは、時分割二重通信（ＴＤＤ）および周波数分割二重通信（ＦＤＤ）システムの両方をサポートし得る。ＴＤＤシステムでは、相互関係の原理（reciprocity principle）によってアップリンクチャネルからのダウンリンクチャネルの推定が可能になるように、アップリンクおよびダウンリンク送信は同じ周波数領域上でなされる。これにより、送信無線デバイスは、送信無線デバイスによって受信された通信から送信ビームフォーミング利得を引き出すことが可能になる。
【００１７】
ワイヤレス通信システム１００は、利用可能なシステムリソース（例えば、帯域幅および送信電力）を共有することによって、マルチプルの無線通信デバイス１０４との通信をサポートすることができる多元接続システムであり得る。このような多元接続システムの例は、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムを含む。
【００１８】
用語「ネットワーク」および「システム」は、しばしば互換可能なように使用される。ＣＤＭＡネットワークは、ユニバーサル地上無線アクセス（ＵＴＲＡ）、ｃｄｍａ２０００などのような無線技術を実施し得る。ｃｄｍａ２０００がＩＳ−２０００、ＩＳ−９５およびＩＳ−８５６標準規格をカバーしている一方で、ＵＴＲＡは、Ｗ−ＣＤＭＡおよび低チップレート（ＬＣＲ）を含む。ＴＤＭＡネットワークは、モバイル通信のためのグローバルシステム（ＧＳＭ（登録商標））のような無線技術を実施し得る。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、フラッシュＯＦＤＭＡなどのような無線技術を実施し得る。ＵＴＲＡ、Ｅ−ＵＴＲＡおよびＧＳＭは、ユニバーサル・モバイル・テレコミュニケーション・システム（ＵＭＴＳ）の一部である。ロングタームエボリューション（ＬＴＥ）は、Ｅ−ＵＴＲＡを用いるＵＭＴＳのリリースである。ＵＴＲＡ、Ｅ−ＵＴＲＡ、ＧＳＭ、ＵＭＴＳおよびロングタームエボリューション（ＬＴＥ）は、「第３世代パートナーシッププロジェクト」（３ＧＰＰ）と名付けられている機関からの文書に記述されている。ｃｄｍａ２０００は、「第３世代パートナーシッププロジェクト２」（３ＧＰＰ２）と名付けられている機関による文書中に記述されている。
【００１９】
第３世代パートナーシッププロジェクト（３ＧＰＰ）は、グローバルに適用可能な第３世代（３Ｇ）モバイルフォン規格を定義することを目的とした、電気通信協会のグループ間のコラボレーションである。３ＧＰＰロングタームエボリューション（ＬＴＥ）は、ユニバーサルモバイルテレコミュニケーションシステム（ＵＭＴＳ）モバイルフォン規格を改良することを目的とした３ＧＰＰのプロジェクトである。３ＧＰＰは、次世代のモバイルネットワーク、モバイルシステム、およびモバイルデバイスのための規格を定義し得る。
【００２０】
３ＧＰＰロングタームエボリューション（ＬＴＥ）においては、無線通信デバイス１０４は、「ユーザ装置」（ＵＥ）と称され得る。無線通信デバイス１０４はまた、端末、アクセス端末、加入者ユニット、局などとも呼ばれ、それらの機能のうちのいくつかまたは全てを含み得る。無線通信デバイス１０４は、セルラーフォン、パーソナルデジタルアシスタント（ＰＤＡ）、無線デバイス、無線モデム、ハンドヘルドデバイス、ラップトップコンピュータなどであり得る。
【００２１】
無線通信デバイス１０４は、任意の所与の時間に、ダウンリンク１０６ａ−ｂおよび／またはアップリンク１０８ａ−ｂで、０、１、または複数の基地局１０２と通信し得る。ダウンリンク１０６（または順方向リンク）は、基地局１０２から無線通信デバイス１０４への通信リンクを指し、アップリンク１０８（または逆方向リンク）は、無線通信デバイス１０４から基地局１０２への通信リンクを指す。
【００２２】
無線通信デバイス１０４は、第１の無線アクセス技術（ＲＡＴ）の一環として第１の基地局１０２ａと、および第２の無線アクセス技術（ＲＡＴ）の一環として第２の基地局１０２ｂと、通信することが可能であり得る。無線アクセス技術(ＲＡＴｓ)の例は、モバイル通信のためのグローバルシステム（ＧＳＭ）、（ｃｄｍａ２０００  １ｘとしても知られる）１ｘ、高データレート(ＨＤＲ)、Ｗ−ＣＤＭＡおよびロングタームエボリューション（ＬＴＥ）を含む。第１の基地局１０２ａは、第２の基地局１０２ｂとは異なる無線アクセス技術（ＲＡＴ）を用い得る。
【００２３】
無線通信デバイス１０４は、無線トラフィックスタック１１０を含み得る。無線トラフィックスタック１１０は、無線通信デバイス１０４による無線通信を促進し得る。無線トラフィックスタック１１０は、第１の無線アクセス技術(ＲＡＴ)を用いる通信のための第１の無線アクセス技術(ＲＡＴ)プロトコル層１１２ａ、および第２の無線アクセス技術(ＲＡＴ)を用いる通信のための第２の無線アクセス技術(ＲＡＴ)プロトコル層１１２ｂを含み得る。無線トラフィックスタック１１０は、追加的な無線アクセス技術(ＲＡＴｓ)のための追加的な無線アクセス技術(ＲＡＴ)プロトコル層１１２を含み得る。
【００２４】
ある構成では、無線通信デバイス１０４は、第１の無線アクセス技術(ＲＡＴ)から第２の無線アクセス技術(ＲＡＴ)へ遷移し得る。別の構成では、第１の無線アクセス技術(ＲＡＴ)のための無線接続が解放され得る。第１の無線アクセス技術(ＲＡＴ)のための無線接続は、無線通信デバイス１０４が第１の無線アクセス技術(ＲＡＴ)から第２の無線アクセス技術(ＲＡＴ)との接続を確立することに遷移する間一時的にカバレッジから外れることで解放され得る。第１の無線アクセス技術(ＲＡＴ)のための無線接続は、（例えば、もしネットワークが無線通信デバイス１０４からの信号を復号できなければ）ネットワークからのトリガによって、または（例えば、もし無線通信デバイス１０４がネットワークからの信号を復号できなければ）ローカルトリガによってもまた解放され得る。
【００２５】
もし無線通信デバイス１０４が、第１の無線アクセス技術(ＲＡＴ)から第２の無線アクセス技術(ＲＡＴ)へ遷移する場合、またはもし第１の無線アクセス技術(ＲＡＴ)のための無線接続が解放される場合、第１の無線アクセス技術(ＲＡＴ)のための、無線通信デバイス１０４によってすでに処理されているデータは、遷移／接続解放の後で損失したとみなされる。これは、第１の無線アクセス技術(ＲＡＴ)プロトコル層１１２ａにおいてデータがすでに下位層へ送られていることに拠る。第１の無線アクセス技術(ＲＡＴ)プロトコル層１１２ａの下位層では、データは、ヘッダ圧縮、暗号化、ヘッダ挿入およびセグメンテーション／連結を含むいくつかのオペレーションを受けていることがあり得る。
【００２６】
典型的に、データ上ですでに実行された任意のオペレーションを取り消すことを含む、第１の無線アクセス技術(ＲＡＴ)プロトコル層１１２ａで下位層からデータを取り戻す(retrieve)ことは、相当な処理複雑性に関連し得る。３Ｇや４Ｇ技術などのような無線アクセス技術(ＲＡＴ)に関して、失われる可能性のあるデータ総量は、かなりの量である。もしも第１の無線アクセス技術(ＲＡＴ)プロトコル層１１２ａの下位層におけるデータが、遷移／接続解放の後でドロップされる場合、エンドユーザーはデータレートにおける突然のドロップを経験し得る。さらに悪いことに、データは、輻輳制御メカニズムを採用しデータレートの速度を落とすことによってデータ損失の問題を悪化させる可能性があり、エンドユーザエクスペリエンスのさらなる品質低下をもたらす、伝送制御プロトコル（ＴＣＰ）層のような上位層において、再送されることを強いられ得る。もしデータがドロップされるのでなはなく再処理されれば、インター無線アクセス技術（ＩＲＡＴ）モビリティ間のデータ損失は減少し得る。さらに、伝送制御プロトコル（ＴＣＰ）バックオフは、避けられることができ、もしそうでなければ、データ転送の速度を落とし、およびエンドユーザエクスペリエンスに悪影響をおよぼすであろう。したがって、相当な処理複雑性に直面しても、伝送制御プロトコル（ＴＣＰ）性能は改善され得る。一般に、ハンドオーバは、データレートがピークデータレートよりも相当低いような、質の悪い無線コンディションで起きる（したがって追加の処理はＣＰＵ／ＭＩＰＳバジェットに適合するべきである）。
【００２７】
無線通信デバイス１０４は、再処理モジュール１１４を含み得る。再処理モジュール１１４は、もし再処理されなければ遷移／接続解放によって失われることになるデータを再処理し得る。第１の無線アクセス技術(ＲＡＴ)から第２の無線アクセス技術(ＲＡＴ)へのハンドオーバがトリガされるとき、再処理モジュール１１４は、第１の無線アクセス技術(ＲＡＴ)プロトコル層１１２ａにおける処理済みデータバッファにあるデータを再処理し得る。この再処理されたデータ（すなわち、元の状態に戻ったデータ）は次に、無線トラフィックスタック１１０における第２の無線アクセス技術(ＲＡＴ)プロトコル層１１２ｂの上位層（すなわち、未処理データバッファ）へ送られ得る。同様に、無線接続が第１の無線アクセス技術(ＲＡＴ)に関して解放されるとき、再処理モジュール１１４は、第１の無線アクセス技術(ＲＡＴ)プロトコル層１１２ａの処理済みデータバッファにあるデータを再処理し得る。この再処理データは次に、第１の無線アクセス技術(ＲＡＴ)プロトコル層１１２ａにおける上位層（すなわち、未処理データバッファ）へ送り返され得る。
【００２８】
いくつかの構成では、再処理されるデータを制限することは、再処理モジュール１１４にとって有益であり得る。再処理モジュール１１４は、ドロップパケットしきい値１４２を含み得る。再処理モジュール１１４がプロトコル層においてデータの再処理を始めるとき、再処理モジュール１１４は、ドロップパケットしきい値１４２よりも長く処理済みデータバッファにある処理済みデータバッファにおける全てのパケットをドロップし得る。ドロップパケットしきい値１４２は、図７に関連して以下にさらに詳細に説明される。
【００２９】
図２は、ユーザ装置（ＵＥ）２０４がデータサービスおよび／または音声サービスのために利用し得るコアネットワーク２９９およびユーザ装置（ＵＥ）２０４の間の様々なタイプの接続性を例示するブロック図である。図２のユーザ装置２０４は、図１の無線通信デバイス１０４の１つの構成であり得る。マルチプルのエアインターフェース（またはエアリンク）は、暫定規格(Interim Standard)９５（ＩＳ９５）基地局２２０、ＣＤＭＡ２０００  １ｘ（ここでは「１ｘ」と称されているが、ＩＳ−２０００または１ｘＲＴＴとも称され得る）基地局２２１および／またはエボリューションデータオプティマイズド（ＥＶＤＯ）無線アクセスネットワーク（ＲＡＮ）２２２を通じたインターネット２３０へのユーザ装置（ＵＥ）２０４のためのデータ接続を提供し得る。ＩＳ９５基地局２２０は、ユーザ装置（ＵＥ）２０４にＩＳ９５エアリンク２１５を提供し得る。ＩＳ９５基地局２２０は、インターワーキングファンクション（ＩＷＦ）２２９を通してインターネット２３０に接続され得る。１ｘ基地局２２１は、ユーザ装置（ＵＥ）２０４へ１ｘエアリンク２１６を提供し得る。エボリューションデータオプティマイズド（ＥＶＤＯ）無線アクセスネットワーク（ＲＡＮ）２２２は、ユーザ装置（ＵＥ）２０４にエボリューションデータオプティマイズド（ＥＶＤＯ）エアリンク２１７を提供し得る。１ｘ基地局２２１およびエボリューションデータオプティマイズド（ＥＶＤＯ）無線アクセスネットワーク（ＲＡＮ）２２２は、Ａ１０インターフェース２２５ａ−ｂを通してパケットデータサービングノード（ＰＤＳＮ）２３２へ接続され得、そしてそれは次にインターネット２３０に接続される。パケットデータサービングノード（ＰＤＳＮ）２３２は、フォーリンエージェント（ＦＡ）を含み得る。ホームエージェント（ＨＡ）２３１は、インターネット２３０に接続され得る。
【００３０】
ネットワークアーキテクチャは、コアネットワーク２９９への、発展型高レートパケットデータ（ＥＨＲＰＤ）エアリンク２１８および発展型高レートパケットデータ（ＥＨＲＰＤ）無線アクセスネットワーク（ＲＡＮ）２２３を通したデータ接続性を含み得る。発展型高レートパケットデータ（ＥＨＲＰＤ）無線アクセスネットワーク（ＲＡＮ）２２３は、ＨＲＰＤサービングゲートウェイ（ＨＳＧＷ）２３３へ接続するためにＡ１０インターフェース２２７を採用し得る。ネットワークアーキテクチャはまた、ロングタームエボリューション（ＬＴＥ）エアリンク２１９およびロングタームエボリューション（ＬＴＥ）ｅＮｏｄｅＢ  ２２４を通したデータ接続性を含み得る。ロングタームエボリューション（ＬＴＥ）ｅＮｏｄｅＢ  ２２４は、サービングゲートウェイ（ＳＧＷ）２３４へ接続するためにＳ１−Ｕインターフェース２２８を採用し得る。ＨＲＰＤサービングゲートウェイ（ＨＳＧＷ）２３３は、第１のパケットデータネットワークゲートウェイ（ＰＤＮ−ＧＷ）２３７ａ、第２のパケットデータネットワークゲートウェイ（ＰＤＮ−ＧＷ）２３７ｂ、および第３のパケットデータネットワークゲートウェイ（ＰＤＮ−ＧＷ）２３７ｃへ、Ｓ２Ａインターフェース２３５ａ−ｃを通して接続し得る。サービングゲートウェイ（ＳＧＷ）２３４は、第１のパケットデータネットワークゲートウェイ（ＰＤＮ−ＧＷ）２３７ａ、第２のパケットデータネットワークゲートウェイ（ＰＤＮ−ＧＷ）２３７ｂおよび第３のパケットデータネットワークゲートウェイ（ＰＤＮ−ＧＷ）２３７ｃに、Ｓ５インターフェース２３６ａ−ｃを通して接続し得る。第１のパケットデータネットワークゲートウェイ（ＰＤＮ−ＧＷ）２３７ａは、第１のアプリケーションネットワーク（ＡＰＮ）２３８ａに接続し得る。第２のパケットデータネットワークゲートウェイ（ＰＤＮ−ＧＷ）２３７ｂは、第２のアプリケーションネットワーク（ＡＰＮ）２３８ｂに接続し得る。第３のパケットデータネットワークゲートウェイ（ＰＤＮ−ＧＷ）２３７ｃは、第３のアプリケーションネットワーク（ＡＰＮ）２３８ｃに接続し得る。アプリケーションネットワーク（ＡＰＮ）２３８は、次のものに限定されるわけではないが、ユーザ装置（ＵＥ）２０４が、ユーザ装置（ＵＥ）２０４に関する構成情報をダウンロードするために接続を確立することができる管理アプリケーションネットワーク（an Administrative Application Network：ＡＰＮ）、ビデオテレフォニーサービスまたはボイスオーバＩＰ（ＶｏＩＰ）サービスを得るために、ユーザ装置（ＵＥ）２０４が接続するインターネットマルチメディアシステム（ＩＭＳ）、を含み得る。
【００３１】
図３は、本システムおよび方法において使用するための無線トラフィックスタック３１０を例示するブロック図である。図３の無線トラフィックスタック３１０は、図１の無線トラフィックスタック１１０の１つの構成であり得る。無線トラフィックスタック３１０は、データサービス層３４４、第１の無線アクセス技術(ＲＡＴ)プロトコル層３１２ａ、第２の無線アクセス技術(ＲＡＴ)プロトコル層３１２ｂおよび物理層３５６を含み得る。送信されるべきデータは、適切な無線アクセス技術(ＲＡＴ)プロトコル層３１２を通してデータサービス層３４４から物理層３５６へ移動される。例えば、もし無線通信デバイス１０４が第１の無線アクセス技術(ＲＡＴ)を用いて通信する場合、第１の無線アクセス技術(ＲＡＴ)プロトコル層３１２ａは、アクティブであり得る。
【００３２】
第１の無線アクセス技術(ＲＡＴ)プロトコル層３１２ａは、未処理データバッファ３４６ａ、パケットデータコンバージェンスプロトコル（ＰＤＣＰ）層３４８ａ、処理済みデータバッファ３５０ａ、無線リンク制御（ＲＬＣ）層３５２ａおよびメディアアクセス制御（ＭＡＣ）／Ｌ１層３５４ａを含み得る。同様に、第２の無線アクセス技術(ＲＡＴ)プロトコル層３１２ｂは、未処理データバッファ３４６ｂ、パケットデータコンバージェンスプロトコル（ＰＤＣＰ）層３４８ｂ、処理済みデータバッファ３５０ｂ、無線リンク制御（ＲＬＣ）層３５２ｂおよびメディアアクセス制御（ＭＡＣ）／Ｌ１層３５４ｂを含み得る。第１の無線アクセス技術(ＲＡＴ)から第２の無線アクセス技術(ＲＡＴ)への遷移の間、第１の無線アクセス技術(ＲＡＴ)プロトコル層３１２ａの未処理データバッファ３４６ａにおけるデータは、第２の無線アクセス技術(ＲＡＴ)プロトコル層３１２ｂの未処理データバッファ３４６ｂへ移動される３５８。第１の無線アクセス技術(ＲＡＴ)プロトコル層３１２ｂの処理済データバッファ３５０ａにおけるデータは、従来失われたとみなされていた。しかしながら、本システムおよび方法では、第１の無線アクセス技術(ＲＡＴ)プロトコル層３１２ａの処理済みデータバッファ３５０ａにおけるデータは、再処理モジュール３１４によって再処理され、第２の無線アクセス技術(ＲＡＴ)プロトコル層３１２ｂの未処理データバッファ３４６ｂへ移動される３６０。
【００３３】
処理済みデータバッファ３５０ａにおけるデータを再処理することは、例えば、インターネットプロトコルヘッダ圧縮（ＩＰＨＣ）またはロバスト（robust）ヘッダ圧縮（ＲｏＨＣ）を用いて圧縮されたＩＰパケットの圧縮ヘッダを解凍する(uncompress)ことを含み得る。処理済みデータバッファ３５０ａにおけるデータを再処理することはまた、機密保護のために暗号化されたパケットを解読することも含み得る。処理済みデータバッファ３５０ａにおけるデータを再処理することはさらに、（例えば、シーケンス番号およびパケット分類に関する）プロトコル層特有のヘッダを取り除くことも含み得る。処理済みデータバッファ３５０ａにおけるデータを再処理することはまた、セグメンテーション／連結処理を元通りにすることも含み得る。したがって、第１の無線アクセス技術(ＲＡＴ)プロトコル層３１２ａの処理済みデータバッファ３５０ａから第２の無線アクセス技術(ＲＡＴ)プロトコル層３１２ｂの未処理データバッファ３４６ｂへ移動３６０させられたデータは、元の状態（すなわち、データが第１の無線アクセス技術(ＲＡＴ)プロトコル層３１２ａの未処理データバッファ３４６ａにあったときのデータの状態）に戻されている。
【００３４】
第１の無線アクセス技術(ＲＡＴ)プロトコル層３１２ａの処理済みデータバッファ３５０ａの中のどのデータが再処理されるかについて特定の制限が課され得る。例えば、古い（stale）と思われるデータ（例えば、第２の無線アクセス技術(ＲＡＴ)プロトコル層３１２ｂにおいて削除され得るデータ）は、再処理モジュール３１４によって選択的に無視され得る（したがって第２の無線アクセス技術(ＲＡＴ)プロトコル層３１２ｂへは送られない）。いくつかの方法が、再処理される第１の無線アクセス技術(ＲＡＴ)プロトコル層３１２ａの処理済みデータバッファ３５０ａにおけるデータを制限するために用いられ得る。再処理モジュール１１４は、それぞれのパケットに関して処理済みデータバッファ３５０ａにおいて経過した時間を持ち越し、もしそれがドロップパケットしきい値１４２内で送信されなければ、第２の無線アクセス技術(ＲＡＴ)プロトコル層３１２ｂにパケットをドロップさせ得る。どのデータが再処理されるかを制限することは、図７に関連して以下にさらに詳細に説明される。
【００３５】
図４は、第１の無線アクセス技術（ＲＡＴ）から第２の無線アクセス技術（ＲＡＴ）へのハンドオーバがトリガされた後で、第１の無線アクセス技術（ＲＡＴ）プロトコル層１１２ａと第２の無線アクセス技術（ＲＡＴ）プロトコル層１１２ｂとの間で、データを送るための方法４００を例示する流れ図である。方法４００は、無線通信デバイス１０４によって実行され得る。無線通信デバイス１０４は、第１の無線アクセス技術（ＲＡＴ）を用いて通信する４０２ことができる。無線通信デバイス１０４は、第１の無線アクセス技術(ＲＡＴ)から第２の無線アクセス技術(ＲＡＴ)へのハンドオーバのためのトリガを検出する４０４ことができる。
【００３６】
無線通信デバイス１０４は、第１の無線アクセス技術(ＲＡＴ)プロトコル層１１２ａの処理済みデータバッファ３５０ａにおけるデータを再処理する４０６ことができる。処理済みデータバッファ３５０ａにおけるデータは、ヘッダ圧縮、暗号化、ヘッダ挿入、セグメンテーションおよび連結のような、第１の無線アクセス技術(ＲＡＴ)プロトコル層１１２ａ内のいくつかのオペレーションを受けていることがあり得る。再処理すること４０６は、再処理されたデータが、それが第１の無線アクセス技術(ＲＡＴ)プロトコル層１１２ａにエンターしたときと同じ状態であるように、データにおいてなされた任意の処理を元通りにし得る。再処理すること４０６は、元の未処理のデータが、バイト毎（byte-for-byte）にリカバーされるように、第１の無線アクセス技術(ＲＡＴ)プロトコル層３１２ａによって実行された特定の処理を元通りにし得る。例えば、再処理すること４０６は、圧縮ヘッダを解凍すること、暗号化されたパケットを解読すること、プロトコル層特有のヘッダを取り除くこと、セグメンテーションを元通りにすること、および連結を元通りにすることを含み得る。無線通信デバイス１０４は次に、再処理されたデータを第２の無線アクセス技術(ＲＡＴ)プロトコル層１１２ｂの未処理データバッファ３４６ｂに送る４０８ことができる。送られたデータは、第２の無線アクセス技術(ＲＡＴ)のプロトコルに従い続いて処理される。
【００３７】
図５は、本システムおよび方法において使用するための別の無線トラフィックスタック５１０を例示するブロック図である。図５の無線トラフィックスタック５１０は、図１の無線トラフィックスタック１１０の１つの構成であり得る。無線トラフィックスタック５１０は、データサービス層５４４、第１の無線アクセス技術(ＲＡＴ)プロトコル層５１２、および物理層５５６を含み得る。送信されるべきデータは、第１の無線アクセス技術(ＲＡＴ)プロトコル層５１２を通してデータサービス層５４４から物理層５５６へ移動される。
【００３８】
第１の無線アクセス技術(ＲＡＴ)プロトコル層５１２は、未処理データバッファ５４６、パケットデータコンバージェンスプロトコル（ＰＤＣＰ）層５４８、処理済みデータバッファ５５０、無線リンク制御（ＲＬＣ）層５５２およびメディアアクセス制御（ＭＡＣ）／Ｌ１層５５４を含み得る。データ接続が解放されるとき、第１の無線アクセス技術(ＲＡＴ)プロトコル層５１２の処理済みデータバッファ５５０におけるデータは、従来失われたとみなされていた。しかしながら、本システムおよび方法では、第１の無線アクセス技術(ＲＡＴ)プロトコル層５１２の処理済みデータバッファ５５０におけるデータは、再処理モジュール１１４によって再処理され、第１の無線アクセス技術(ＲＡＴ)プロトコル層５１２の未処理データバッファ５４６へ移動される５６２。
【００３９】
処理済みデータバッファ５５０におけるデータを再処理することは、例えば、インターネットプロトコルヘッダ圧縮（ＩＰＨＣ）またはロバストヘッダ圧縮（ＲｏＨＣ）を用いて圧縮されたＩＰパケットの圧縮ヘッダを解凍することを含み得る。処理済みデータバッファ５５０におけるデータを再処理することはまた、機密保護のために暗号化されたパケットを解読することも含み得る。処理済みデータバッファ５５０におけるデータを再処理することはさらに、（例えば、シーケンス番号およびパケット分類に関する）プロトコル層特有のヘッダを取り除くことも含み得る。処理済みデータバッファ５５０におけるデータを再処理することはまた、セグメンテーション／連結処理を元通りにすることも含み得る。したがって、第１の無線アクセス技術(ＲＡＴ)プロトコル層５１２の処理済みデータバッファ５５０から第１の無線アクセス技術(ＲＡＴ)プロトコル層５１２の未処理データバッファ５４６へ移動されたデータは、元の状態（すなわち、データが第１の無線アクセス技術(ＲＡＴ)プロトコル層５１２の未処理データバッファ５４６に初めにエンターしたときのデータの状態）へ戻されている。
【００４０】
図６は、無線接続解放の後で処理済みデータバッファ５５０におけるデータを再処理するための方法６００を例示する流れ図である。方法６００は、無線通信デバイス１０４によって実行され得る。無線通信デバイス１０４は、第１の無線アクセス技術（ＲＡＴ）を用いて通信する６０２ことができる。無線通信デバイス１０４は、無線接続解放を検出する６０４ことができる。無線通信デバイス１０４は、第１の無線アクセス技術(ＲＡＴ)プロトコル層５１２の処理済みデータバッファ５５０におけるデータを再処理する６０６ことができる。上述したように、データを再処理すること６０６は、圧縮ヘッダを解凍すること、暗号化されたパケットを解読すること、プロトコル層特有のヘッダを取り除くこと、セグメンテーションを元通りにすること、および連結を元通りにすることを含み得る。無線通信デバイス１０４は次に、第１の無線アクセス技術(ＲＡＴ)プロトコル層５１２の未処理データバッファ５４６に再処理されたデータを送る６０８ことができる。
【００４１】
上で述べたように、第１の無線アクセス技術(ＲＡＴ)プロトコル層５１２の処理済みデータバッファ５５０の中のどのデータが再処理されるかについて特定の制限が課され得る。ある構成では、図７に関連して以下にさらに詳細に説明されるが、再処理モジュール１１４は、それぞれのパケットに関して処理済みデータバッファ５５０において経過した時間を持ち越し、もしそれがドロップパケットしきい値１４２内で送信されなければ、プロトコル層における未処理データバッファ５４６にパケットをドロップさせ得る。
【００４２】
図７は、どのデータが再処理されるかを制限するための方法７００を例示する流れ図である。方法７００は、無線通信デバイス１０４によって実行され得る。ある構成では、方法７００は、無線通信デバイス１０４の無線トラフィックスタック１１０の一部として再処理モジュール１１４によって実行され得る。無線通信デバイス１０４は、プロトコル層において処理済みデータバッファ３５０におけるデータを再処理することを始める７０２ことができる。処理済みデータバッファ３５０ａは、第１の無線アクセス技術(ＲＡＴ)プロトコル層３１２ａの一部であり得る。ある構成では、無線通信デバイス１０４は、第１の無線アクセス技術(ＲＡＴ)からの第２の無線アクセス技術(ＲＡＴ)へのハンドオーバのためのトリガを検出することに応答して、処理済みデータバッファ３５０ａにおけるデータを再処理することを始める７０２ことができる。別の構成では、無線通信デバイス１０４は、無線接続解放に応答して、処理済みデータバッファ３５０ａにおけるデータを再処理することを始める７０２ことができる。
【００４３】
無線通信デバイス１０４は、ドロップパケットしきい値１４２よりも長く処理済みデータバッファ３５０ａにある処理済みデータバッファ３５０ａにおける全てのパケットをドロップする７０４ことができる。無線通信デバイス１０４は、それぞれのパケットに関して処理済みデータバッファ３５０ａにおいて経過した時間を持ち越す７０６ことができる。それぞれのパケットに関して処理済みデータバッファ３５０ａにおいて経過した時間を持ち越すこと７０６は、マルチプルの連続した（back-to-back）インター無線アクセス技術(ＩＲＡＴ)遷移がある場合、パケットのタイムスタンプを記憶することを指す。もしそれぞれのパケットに関して処理済みデータバッファ３５０において経過した時間が持ち越され７０６なければ、タイムスタンプが継続的にリセットされるので、古いパケット（stale packet）が結局繰り返し送られることになり得る。
【００４４】
無線通信デバイス１０４は、プロトコル層において未処理データバッファ３４６にそれぞれの再処理されたパケットを送る７０８ことができる。もし無線通信デバイス１０４が、第１の無線アクセス技術(ＲＡＴ)からの第２の無線アクセス技術(ＲＡＴ)へのハンドオーバのためのトリガを検出することに応答して、処理済みデータバッファ３５０ａにおけるデータを再処理することを始める７０２ならば、未処理データバッファ３４６ｂは第２の無線アクセス技術(ＲＡＴ)プロトコル層３１２ｂの一部であり得る。もし無線通信デバイス１０４が、無線接続解放に応答して、処理済みデータバッファ３５０ａにおけるデータの再処理を始めるならば、未処理データバッファ３４６ａは、第１の無線アクセス技術(ＲＡＴ)プロトコル層３１２ａの一部であり得る。
【００４５】
図８は、どのデータが再処理されるかを制限するための別の方法８００を例示する流れ図である。方法８００は、無線通信デバイス１０４によって実行され得る。ある構成では、方法８００は、無線通信デバイス１０４の無線トラフィックスタック１１０の一部として再処理モジュール１１４によって実行され得る。無線通信デバイス１０４は、プロトコル層において処理済みデータバッファ３５０ａおけるデータを再処理することを始める８０２ことができる。処理済みデータバッファ３５０ａは、第１の無線アクセス技術(ＲＡＴ)プロトコル層３１２ａの一部であり得る。ある構成では、無線通信デバイス１０４は、第１の無線アクセス技術(ＲＡＴ)から第２の無線アクセス技術(ＲＡＴ)へのハンドオーバのためのトリガを検出することに応答して、処理済みデータバッファ３５０ａにおけるデータを再処理することを始める８０２ことができる。別の構成では、無線通信デバイス１０４は、無線接続解放に応答して、処理済みデータバッファ３５０ａにおけるデータを再処理することを始める８０２ことができる。
【００４６】
無線通信デバイス１０４は、ドロップパケットしきい値１４２よりも長く処理済みデータバッファにある処理済みデータバッファ３５０ａにおける全てのパケットをドロップする８０４ことができる。無線通信デバイス１０４は、プロトコル層において未処理データバッファ３４６にそれぞれの再処理されたパケットを送る８０６ことができる。もし無線通信デバイス１０４が、第１の無線アクセス技術(ＲＡＴ)から第２の無線アクセス技術(ＲＡＴ)へのハンドオーバのためのトリガを検出することに応答して、処理済みデータバッファ３５０ａにおけるデータを再処理することを始める８０２ならば、未処理データバッファ３４６ｂは第２の無線アクセス技術(ＲＡＴ)プロトコル層３１２ｂの一部であり得る。もし無線通信デバイス１０４が、無線接続解放に応答して、処理済みデータバッファ３５０ａにおけるデータを再処理することを始める８０２ならば、未処理データバッファ３４６ａは、第１の無線アクセス技術(ＲＡＴ)プロトコル層３１２ａの一部であり得る。
【００４７】
図８は、無線通信デバイス１００４内に含まれ得る特定のコンポーネントを例示する。無線通信デバイス１００４は、アクセス端末、モバイル局、ユーザ装置（ＵＥ）などであり得る。無線通信デバイス１００４は、プロセッサ１００３を含む。プロセッサ１００３は、汎用シングルチップまたはマルチチップマイクロプロセッサ（例えば、ＡＲＭ）、特殊目的マイクロプロセッサ（例えば、デジタル信号プロセッサ（ＤＳＰ））、マイクロコントローラ、プログラマブルゲートアレイなどであり得る。プロセッサ１００３は、中央処理ユニット（ＣＰＵ）と称され得る。単一のプロセッサ１００３のみが、図８の無線通信デバイス１００４において図示されるが、代替の構成では、プロセッサの組み合わせ（例えば、ＡＲＭおよびＤＳＰ）が使用され得る。
【００４８】
無線通信デバイス１００４はまた、メモリ１００５も含む。メモリ１００５は、電子情報を記憶することができる任意の電子コンポーネントであり得る。メモリ１００５は、ランダムアクセスメモリ（ＲＡＭ）、読み取り専用メモリ（ＲＯＭ）、磁気ディスク記憶媒体、光学記憶媒体、ＲＡＭにおけるフラッシュメモリデバイス、プロセッサとともに含まれるオンボードメモリ、ＥＰＲＯＭメモリ、ＥＥＰＲＯＭメモリ、レジスタ、およびそれらの組み合わせを含むその他同様のものとして実現され得る。
【００４９】
データ１００７ａおよび命令１００９ａは、メモリ１００５中に記憶され得る。命令１００９ａは、本明細書に開示される方法を実施するためにプロセッサ１００３によって実行可能であり得る。命令１００９ａを実行することは、メモリ１００５内に記憶されているデータ１００７ａの使用を含み得る。プロセッサ１００３が命令１００９ａを実行する場合、命令１００９ｂの様々な部分がプロセッサ１００３にロードされ、データ１００７ｂの様々な部分がプロセッサ１００３にロードされ得る。
【００５０】
無線通信デバイス１００４はまた、無線通信デバイス１００４に対する信号の受信と、それからの信号の送信を可能にするために、送信機１０１１および受信機１０１３を含み得る。送信機１０１１および受信機１０１３は総称的に、トランシーバ１０１５と総称され得る。マルチプルアンテナ１０１７ａ−ｂは、トランシーバ１０１５に電気的に結合され得る。無線通信デバイス１００４はまた、（図示されていない）マルチプルの送信機、マルチプルの受信機、マルチプルのトランシーバ、および／または追加的なアンテナも含み得る。    
無線通信デバイス１００４は、デジタル信号プロセッサ（ＤＳＰ）１０２１を含み得る。無線通信デバイス１００４はまた、通信インターフェース１０２３も含み得る。通信インターフェース１０２３は、無線通信デバイス１００４とやりとりすることをユーザに可能にし得る。
【００５１】
無線通信デバイス１００４のさまざまなコンポーネントが、電力バス、制御信号バス、ステータス信号バス、データバスなどを含み得る１つ以上のバス（buses）によって互いに結合され得る。明確にするために、さまざまなバスが、バスシステム１０１９として図８において図示されている。
【００５２】
本明細書に説明される技術は、直交多重スキームに基づく通信システムを含む、さまざまな通信システムのために使用され得る。そのような通信システムの例には、直交周波数分割多元接続（ＯＦＤＭＡ）システム、シングルキャリア周波数分割多元接続（ＳＣ−ＦＤＭＡ）システムなどが含まれる。ＯＦＤＭＡシステムは、全システム帯域幅をマルチプルの直交サブキャリアに分割する変調技術である、直交周波数分割多重（ＯＦＤＭ）を利用する。これらサブキャリアはまた、トーン、ビン、などとも称され得る。ＯＦＤＭを用いることにより、それぞれのサブキャリアは、データを用いて別々に変調され得る。ＳＣ−ＦＤＭＡシステムは、インターリーブされたＦＤＭＡ（ＩＦＤＭＡ）を利用して、システム帯域幅全体にわたって分散したサブキャリアで送信し、ローカライズされたＦＤＭＡ（ＬＦＤＭＡ）を利用して、隣接サブキャリア・ブロックで送信し、または、エンハンスされたＦＤＭＡ（ＥＦＤＭＡ）を利用して、マルチプルの隣接サブキャリア・ブロックで送信することができる。一般的に、変調シンボルは、周波数ドメイン中ではＯＦＤＭにより送られ、時間ドメイン中ではＳＣ−ＦＤＭＡにより送られる。
【００５３】
用語「判定すること(determining）」は、多種多様なアクションを包含する、したがって、「判定すること」とは、計算すること（calculating）、演算すること（computing）、処理すること（processing）、導出すること（deriving）、調査すること（investigating）、調べること（looking up）（例えば表、データベース、あるいは別のデータ構造を調べること）、確認すること（ascertaining）などを含むことができる。また、「判定すること」は、受信すること（例えば、情報を受信すること）や、アクセスすること（例えば、メモリ内のデータにアクセスすること）などを含むことができる。また、「判定すること」は、決定すること（resolving）、選択すること（selecting）、選ぶこと（choosing）、確立すること（establishing）などを含むことができる。
【００５４】
フレーズ「〜に基づく」は、そうではないと明確に特定されていない限りは、「〜のみに基づく」ということを意味しているわけではない。言い換えると、フレーズ「〜に基づく」は、「〜のみに基づく」および「少なくとも〜に基づく」の両方を表す。
【００５５】
用語「プロセッサ」は、汎用プロセッサ、中央処理ユニット（ＣＰＵ）、マイクロプロセッサ、デジタル信号プロセッサ（ＤＳＰ）、コントローラ、マイクロコントローラ、ステートマシンなどを包含するように広く解釈されるべきである。何らかの状況で、「プロセッサ」は、特定用途向け集積回路（ＡＳＩＣ）、プログラマブルロジックデバイス（ＰＬＤ）、フィールドプログラマブルゲートアレイ（ＦＰＧＡ）などのことを指し得る。用語「プロセッサ」は、処理デバイスの組み合わせのことを、例えば、マイクロプロセッサ、複数のマイクロプロセッサ、ＤＳＰコアを伴う１つ以上のマイクロプロセッサ、または、このような構成の他の何らかのものとＤＳＰとの組み合わせのことを指し得る。
【００５６】
用語「メモリ」は、電子情報を記憶することができる任意の電子コンポーネントを包含するように広く解釈されるべきである。メモリという用語は、ランダムアクセスメモリ（ＲＡＭ）、読み取り専用メモリ（ＲＯＭ）、非揮発性ランダムアクセスメモリ（ＮＶＲＡＭ）、プログラム可能な読み取り専用メモリ（ＰＲＯＭ）、消去可能でプログラム可能な読み取り専用メモリ（ＥＰＲＯＭ）、電気的に消去可能なＰＲＯＭ（ＥＥＰＲＯＭ）、フラッシュメモリ、磁気または光データ記憶装置、レジスタなどのような、さまざまなタイプのプロセッサ読み取り可能媒体のことを指し得る。メモリは、プロセッサがメモリから情報を読み取る、および/またはメモリに情報を書き込むことができる場合に、プロセッサと電子通信すると考えられている。プロセッサに統合されているメモリは、そのプロセッサと電子通信している。
【００５７】
用語「命令」および「コード」は、任意のタイプの（単数または複数の）コンピュータ読み取り可能ステートメントを含むように広く解釈されるべきである。例えば、「命令」および「コード」という用語は、１つ以上のプログラム、ルーチン、サブルーチン、機能、手順などのことを指し得る。「命令」および「コード」は、単一のコンピュータ読み取り可能ステートメントまたは多くのコンピュータ読み取り可能ステートメントを含み得る。
【００５８】
ここで説明される機能は、ハードウェアによって実行されるファームウェアまたはソフトウェアにおいて実施され得る。機能は、１つ以上の命令として、コンピュータ読み取り可能媒体に記憶され得る。用語「コンピュータ読み取り可能媒体」または「コンピュータプログラムプロダクト」は、プロセッサあるいはコンピュータによってアクセスされ得る任意の有形の記憶媒体を指す。次のものに限定するわけではないが、実例として挙げれば、コンピュータ読み取り可能媒体は、ＲＡＭ、ＲＯＭ、ＥＥＰＲＯＭ、ＣＤ−ＲＯＭ、あるいはその他の光学ディスク記憶装置、磁気ディスク記憶装置またはその他の磁気記憶デバイス、あるいは、命令又はデータ構造の形態で望ましいプログラムコードを搬送または格納するために使用されることができ、および、コンピュータによってアクセスされることができるその他の任意の媒体を備え得る。ここで使用されたようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。コンピュータ読み取り可能媒体は、有形かつ非一時的であり得ることが、注意されるべきである。用語「コンピュータプログラムプロダクト」は、コンピューティングデバイスまたはプロセッサによって実行された、処理された、あるいは計算されたコードまたは命令（例えば、「プラグラム」など）と組み合わせて、プロセッサあるいはデバイスを計算することを示す。ここで使用されるように、用語「コード」は、コンピューティングデバイスまたはプロセッサによって実行可能なソフトウェア、命令、コードまたはデータを示し得る。
【００５９】
本明細書に開示された方法は、説明された方法を達成するための１つ以上のステップまたはアクションを備える。方法のステップおよび／またはアクションは、本願の特許請求の範囲から逸脱することなしに、互いに置き換えられ得る。言い換えると、ステップあるいはアクションの特定の順序が、説明されている方法の適切なオペレーションのために必要とされない限り、特定のステップおよび／またはアクションの順序および／または使用が、特許請求の範囲から逸脱することなしに修正され得る。
【００６０】
さらに、図４、図６および図７によって例示されたもののような、本明細書において説明された方法および技術を実行するためのモジュールおよび／またはその他適切な手段は、デバイスによってダウンロードされ得る、および／またはさもなければ取得され得ることが、理解されるべきである。例えば、デバイスは、本明細書において説明された方法を実行するための手段の転送を容易にするためにサーバに結合され得る。代替的に、本明細書において説明される様々な方法は、デバイスが、そのデバイスに記憶手段を結合するあるいは提供する際に様々な方法を取得し得るように、記憶手段（例えば、ランダムアクセスメモリ（ＲＡＭ）、読み取り専用メモリ（ＲＯＭ）、コンパクトディスク（ＣＤ）あるいはフロッピーディスクのような物理記憶媒体など）によって、提供され得る。
【００６１】
本願の特許請求の範囲が、上述のまさにその構成およびコンポーネントのみに限定されるわけではないことが、理解されるべきである。さまざまな修正、変更、および、バリエーションが、ここで説明されたシステム、方法、ならびに、装置の配列、オペレーション、および、詳細において、特許請求の範囲から逸脱することなく行われ得る。
【図１】
2013546254.tif 000003
【図２】
2013546254.tif 000004
【図３】
2013546254.tif 000005
【図４】
2013546254.tif 000006
【図５】
2013546254.tif 000007
【図６】
2013546254.tif 000008
【図７】
2013546254.tif 000009
【図８】
2013546254.tif 000010
【国際調査報告】
2013546254.tif 000011
2013546254.tif 000012